(57)【要約】【課題】表示内容を容易に見え易くすることができる表示制御装置を提供する。【解決手段】視角依存性を有する表示パネル２１の表示態様を制御する表示制御装置は、表示パネル２１に対する目視方向が入力されたとき、入力された目視方向に基づいて表示パネル２１の表示態様を目視方向から見え易くなるように変更する。【選択図】図４
2017161809.tif 000002
【特許請求の範囲】
【請求項１】
視角依存性を有する表示パネルの表示態様を制御する表示制御装置であって、
前記表示パネルに対する目視方向が入力されたとき、入力された前記目視方向に基づいて前記表示パネルの表示態様を前記目視方向から見え易くなるように変更することを特徴とする表示制御装置。
【請求項２】
前記目視方向を入力する操作を許可するモードであることを条件として、入力された前記目視方向を受け付けることを特徴とする請求項１に記載の表示制御装置。
【請求項３】
前記表示パネルは、タッチパネルであり、
前記表示パネル上のタッチ操作で前記目視方向が入力可能であることを特徴とする請求項１又は２に記載の表示制御装置。
【請求項４】
前記表示パネルのコントラスト比を変更することにより、前記表示パネルの表示態様を変更することを特徴とする請求項１〜３のいずれか一項に記載の表示制御装置。
【請求項５】
前記表示パネルの表示態様の変更は、前記表示パネルに表示された文字及び画像の少なくとも一方を強調することであることを特徴とする請求項１〜４のいずれか一項に記載の表示制御装置。
【請求項６】
前記表示パネルはカラー表示が可能であり、
前記表示パネルの表示態様の変更は、前記目視方向からの前記表示パネルの表示内容が階調反転するとき、階調反転に応じたモノクロ表示に変更することを特徴とする請求項１〜５のいずれか一項に記載の表示制御装置。
【請求項７】
前記表示パネルの表示態様の変更時間は変更可能であることを特徴とする請求項１〜６のいずれか一項に記載の表示制御装置。
【請求項８】
前記表示パネルは、タッチパネルであり、
前記表示パネルの表示態様の変更時間は、前記表示パネル上のタッチ操作に応じて変更可能であることを特徴とする請求項７に記載の表示制御装置。
【請求項９】
前記表示パネルは、前記目視方向を入力する操作が可能な第１操作領域と、前記表示パネルの表示態様の変更を変更前の表示態様に戻す操作が可能な第２操作領域とを有し、
前記第２操作領域は、前記第１操作領域の範囲外に設けられることを特徴とする請求項３に記載の表示制御装置。
【請求項１０】
前記表示制御装置は、印刷装置に設けられ、前記印刷装置に搭載された表示パネルの表示態様を変更することを特徴とする請求項１〜９のいずれか一項に記載の表示制御装置。
【請求項１１】
前記印刷装置は、人感センサーを備え、
前記表示制御装置は、前記表示パネルの表示態様を変更後、前記人感センサーにより前記印刷装置の周囲に人が居ないことを検出したとき、変更前の表示態様に戻すことを特徴とする請求項１０に記載の表示制御装置。
【発明の詳細な説明】
【技術分野】
【０００１】
本発明は、表示パネルの表示態様を制御する表示制御装置に関する。
【背景技術】
【０００２】
従来から、建物の壁面などに据え付けられる液晶表示装置が知られている（例えば特許文献１参照）。このような液晶表示装置では、目視角度によってコントラスト比が異なるため、目視角度によっては液晶表示装置の表示内容が見え難い場合がある。そこで、特許文献１の液晶表示装置では、スイッチ又はリモートコントローラーによって入力された目視角度に基づいて、その目視角度に対して適切なコントラスト比となるように液晶表示装置の駆動回路の駆動電圧を制御している。これにより、目視角度によって液体表示装置の表示内容が見え難くなることが抑制される。
【先行技術文献】
【特許文献】
【０００３】
【特許文献１】特開平６−１８６９３２号公報
【発明の概要】
【発明が解決しようとする課題】
【０００４】
ところで、特許文献１の液晶表示装置では、目視角度を数値として入力するため、その目視角度を使用者が取得する必要がある。このため、特許文献１の液晶表示装置では、何らかの手段により目視角度を取得し、その目視角度の数値をスイッチ又はリモートコントローラーによって入力する必要がある。しかし、使用者が目視角度を正確に取得することは難しく、液晶表示装置の表示内容を見え易くするための操作が煩雑である。
【０００５】
本発明は、このような実情に鑑みてなされたものであり、その目的は、表示内容を容易に見え易くすることができる表示制御装置を提供することにある。
【課題を解決するための手段】
【０００６】
以下、上記課題を解決するための手段及びその作用効果について記載する。
上記課題を解決する表示制御装置は、視角依存性を有する表示パネルの表示態様を制御する表示制御装置であって、前記表示パネルに対する目視方向が入力されたとき、入力された前記目視方向に基づいて前記表示パネルの表示態様を前記目視方向から見え易くなるように変更する。
【０００７】
この構成によれば、目視角度のような具体的な数値を入力するのではなく、表示パネルに対する目視方向を入力するため、すなわち使用者が表示パネルに対してどの方向から表示パネルを見ているかを入力すれば、その目視方向に応じて表示パネルの表示態様が目視方向から見え易くなるように変更される。このように、使用者が感覚的に把握しやすく且つ容易に取得可能な目視方向に基づいて表示パネルの表示態様が変更可能であることにより、表示パネルの表示態様を変更する操作が容易となる。したがって、表示パネルの表示内容を容易に見え易くすることができる。
【０００８】
また、上記表示制御装置においては、前記目視方向を入力する操作を許可するモードであることを条件として、入力された前記目視方向を受け付けることが好ましい。
この構成によれば、目視方向を入力するモードでのみ目視方向が入力可能となるため、使用者が不用意に操作することにより、表示パネルの表示態様において使用者の意図しない変更が行われることを抑制することができる。
【０００９】
また、上記表示制御装置において、前記表示パネルは、タッチパネルであり、前記表示パネル上のタッチ操作で前記目視方向が入力可能であることが好ましい。
この構成によれば、表示パネル上のタッチ操作であれば表示パネルの面方向に対して上下左右のどの方向に対してもタッチ操作しやすい。したがって、目視方向の入力操作を容易に行うことができる。
【００１０】
また、上記表示制御装置においては、前記表示パネルのコントラスト比を変更することにより、前記表示パネルの表示態様を変更することが好ましい。
表示パネルとして安価な液晶パネルが用いられた場合、表示パネルに対する目視方向に応じたコントラスト比のばらつきが大きい。その点、本表示制御装置によれば、表示パネルのコントラスト比を変更することにより表示パネルの表示態様を目視方向から見え易くなるように変更するため、目視方向に対する表示パネルのコントラスト比を適切な値に設定することができる。したがって、表示パネルとして安価な液晶パネルが用いられたとしても、表示パネルの表示内容を見え易くすることができる。
【００１１】
また、上記表示制御装置において、前記表示パネルの表示態様の変更は、前記表示パネルに表示された文字及び画像の少なくとも一方を強調することが好ましい。
カラー表示が可能な表示パネルにおいて例えば色相及び文字により使用者が情報を認識する場合、表示パネルの表示内容が階調反転したり、文字が見え難かったりすると使用者が情報を読み取ることができない。この点、本表示制御装置は、表示パネルの文字や画像を強調することにより、表示パネルの表示内容が階調反転したとしても、表示パネルの文字や画像から使用者が情報を読み取ることができる。
【００１２】
また、上記表示制御装置において、前記表示パネルはカラー表示が可能であり、前記表示パネルの表示態様の変更は、前記目視方向からの前記表示パネルの表示内容が階調反転するとき、階調反転に応じたモノクロ表示に変更することが好ましい。
【００１３】
この構成によれば、表示パネルにおいてカラーで表示された内容が階調反転して見えるとき、その表示内容を階調反転に応じたモノクロ表示に変更することにより階調反転の影響を回避し、階調反転した表示内容よりも表示内容を見え易くすることができる。
【００１４】
また、上記表示制御装置において、前記表示パネルの表示態様の変更時間は変更可能であることが好ましい。
例えば、表示パネルの表示態様の変更時間が予め設定された一定時間の場合、予期せずに表示パネルの表示態様が使用者から見え難い変更前の表示態様に戻ってしまう虞がある。この問題を解決するため、表示パネルの表示態様が目視方向から見え易くなるように変更された後、表示パネルの表示態様を変更前の表示態様に戻す操作をしないと表示パネルの表示態様が変更前の表示態様に戻らないような構成が考えられる。しかし、使用者が表示パネルの表示態様を目視方向から見え易くなるように一時期のみ変更するとき、表示パネルの表示態様を変更前の表示態様に戻す操作をし忘れる虞がある。
【００１５】
その点、本表示制御装置によれば、表示パネルの表示態様の変更時間を使用者が変更することにより、すなわち使用者が表示パネルの表示態様の変更時間を適切な時間に設定することにより、予期せずに表示パネルの表示態様が変更前の表示態様に戻ることを抑制することができる。加えて、使用者が表示パネルの表示態様を見え易くなるように一時期のみ変更する場合、変更時間に達したときに表示パネルの表示態様を変更前の表示態様に自動的に変更するため、表示パネルの表示態様を変更前の表示態様に戻し忘れる虞をなくすことができる。
【００１６】
また、上記表示制御装置において、前記表示パネルは、タッチパネルであり、前記表示パネルの表示態様の変更時間は、前記表示パネル上のタッチ操作に応じて変更可能であることが好ましい。
【００１７】
この構成によれば、表示パネル上のタッチ操作であれば表示パネルの面方向に対して上下左右のどの方向に対してもタッチ操作しやすい。したがって、表示態様の変更時間の変更操作を容易に行うことができる。
【００１８】
また、上記表示制御装置において、前記表示パネルは、前記目視方向を入力する操作が可能な第１操作領域と、前記表示パネルの表示態様の変更を変更前の表示態様に戻す操作が可能な第２操作領域とを有し、前記第２操作領域は、前記第１操作領域の範囲外に設けられることが好ましい。
【００１９】
この構成によれば、目視方向を入力する操作を行うときに表示パネルの表示態様を元に戻す操作を行ってしまう、又は表示パネルの表示態様を元に戻す操作を行うときに目視方向を入力する操作を行ってしまうといった誤操作を抑制することができる。
【００２０】
また、上記表示制御装置において、前記表示制御装置は、印刷装置に設けられ、前記印刷装置に搭載された表示パネルの表示態様を変更することが好ましい。
印刷装置においては、使用者は、例えばロール紙等の用紙を交換するとき、印刷装置の側方又は後方で作業する場合がある。また用紙を交換するとき、印刷装置の表示パネルには用紙を交換するときの作業手順や印刷装置のインク残量などが表示される。このため、使用者は、表示パネルに表示された作業手順やインク残量を側方又は後方から見ることとなり、表示パネルに表示された情報が見え難くなる。
【００２１】
その点、本表示制御装置は、使用者の表示パネルに対する目視方向に基づいて表示パネルの表示態様を目視方向から見え易くなるように変更するため、使用者が表示パネルを側方又は後方から見ても表示パネルの表示内容が見え易くなる。これにより、使用者が用紙の交換作業をしやすくなる。
【００２２】
また、上記表示制御装置において、前記印刷装置は、人感センサーを備え、前記表示制御装置は、前記表示パネルの表示態様を変更後、前記人感センサーにより前記印刷装置の周囲に人が居ないことを検出したとき、変更前の表示態様に戻すことが好ましい。
【００２３】
この構成によれば、例えば使用者が用紙交換等の作業が終了して印刷装置から離れたとき、表示パネルの表示態様を変更前の表示態様に自動的に戻すことができる。したがって、利便性が向上する。
【図面の簡単な説明】
【００２４】
【図１】表示制御装置を備える印刷装置の一実施形態の斜視図。
【図２】図１の印刷装置の電気的な構成の一部を示すブロック図。
【図３】図１の印刷装置に設けられた表示パネルの表示内容の一例を示す平面図。
【図４】図３の表示パネルにおいて、表示設定モードの表示内容の一例を示す平面図。
【図５】図３の表示パネルにおいて、表示態様を目視方向から見え易くなるように変更した後の表示内容の一例を示す平面図。
【図６】表示制御装置により実行される表示態様変更処理のフローチャート。
【図７】表示制御装置により実行される表示態様解除処理のフローチャート。
【図８】本実施形態の作用を説明するための図であり、印刷装置の斜視図。
【図９】変形例の印刷装置の表示パネルにおいて、表示態様を目視方向から見え易くなるように変更した後の表示内容の一例を示す平面図。
【図１０】別の変形例の印刷装置の表示パネルにおいて、表示設定モードの表示内容の一例を示す平面図。
【図１１】さらに別の変形例の印刷装置の平面図。
【図１２】図１１の印刷装置の表示制御装置により実行される表示態様解除処理のフローチャート。
【発明を実施するための形態】
【００２５】
以下、印刷装置に設けられた表示パネルの表示態様を制御する表示制御装置として表示制御装置を具体化した一実施形態について説明する。なお、本実施形態の表示制御装置を備える印刷装置は、媒体の一例としての連続紙に、液体の一例であるインクを吐出することで、連続紙に文字や画像を形成するインクジェット式プリンターである。
【００２６】
図１に示すように、印刷装置１１は、脚台１２に支持された略直方体形状の装置本体１３と、装置本体１３の背面部から上側後方に向けて斜めに突き出るように設けられた繰出部１４とを備える。なお、以降の説明において印刷装置１１の「前後」、「左右」及び「上下」の各方向をいう場合は、図１において装置本体１３が左右に長い印刷装置１１を正面側から見た場合の各方向をいうものとする。
【００２７】
繰出部１４は、跳ね上げ式の開閉カバー１５を備える。繰出部１４内には、開閉カバー１５を開状態として、媒体の一例である長尺状の連続紙Ｐがロール状に巻き重ねられて形成されたロール体ＲＢが装填される。ロール体ＲＢは、繰出部１４内においてロール体ＲＢの長手方向の両端部に対応する位置に設けられた一対のロール体支持部１６により支持されている。またロール体支持部１６には、ロール体ＲＢを回転させるための繰出モータ（図示略）が駆動連結されている。繰出部１４は、繰出モーターにより連続紙Ｐを装置本体１３内に繰り出す。
【００２８】
装置本体１３の背面側且つ繰出部１４の下方には、印刷装置１１の動作を制御する制御装置１７が設けられている。制御装置１７は、例えば、印刷ジョブに基づく連続紙Ｐの搬送動作及び連続紙Ｐへの印刷動作の制御を行う。
【００２９】
装置本体１３の右手前側には、使用者が印刷装置１１を操作するための操作部２０が設けられている。操作部２０は、操作内容や印刷ジョブ内容が表示される液晶パネルからなり、モノクロ表示及びカラー表示が可能な表示パネル２１と、操作内容の変更又は選択を行うための操作ボタン２２とを備える。表示パネル２１は、表示パネル２１の画面上でタッチ操作することにより操作内容を制御装置１７に出力可能なタッチパネルである。また表示パネル２１は、その正面視において前後方向（縦方向）の寸法が左右方向（横方向）の寸法よりも長い所謂縦長のタッチパネルであり、表示パネル２１を見る方向によって表示態様が変わる視角依存性を有する。本実施形態では、使用者が表示パネル２１を左側から見るときの表示パネル２１のコントラスト比は、使用者が表示パネル２１を正面から見るときの表示パネル２１のコントラスト比よりも低くなり、使用者が表示パネル２１を右側から見るときに表示内容が階調反転して見える。
【００３０】
図２に示すように、操作部２０は、表示パネル２１を駆動させるための駆動装置２３と、表示パネル２１の画面上のタッチ操作を検出する操作検出部２４とをさらに備える。駆動装置２３は、例えば、表示パネル２１に印加する電圧を制御することにより表示パネル２１のコントラスト比を制御する。
【００３１】
制御装置１７は、表示パネル２１の表示態様を制御する表示制御装置３０を備える。表示制御装置３０は、受付部３１、制御部３２、出力部３３等を含んで構成されたマイクロコンピューターである。受付部３１は、操作部２０の操作ボタン２２が操作されたときの操作信号、及び操作検出部２４が検出した操作信号を受け付け、その受け付けた操作信号を制御部３２に出力する。制御部３２は、受付部３１から出力された操作信号に基づいて表示パネル２１の表示態様を制御する制御信号を生成し、その生成した制御信号を出力部３３に出力する。出力部３３は、制御部３２から出力された制御信号を駆動装置２３に出力する。駆動装置２３は、出力部３３から出力された制御信号に基づいて表示パネル２１の駆動を制御する。
【００３２】
制御部３２は、表示切替部３４、モード切替部３５、駆動信号生成部３６等を含んで構成されている。制御部３２は、表示パネル２１に表示された表示内容としての印刷設定を表示パネル２１の画面上の操作に基づいて変更可能とする印刷設定モードと、表示パネル２１のコントラスト比や階調反転などの表示態様を表示パネル２１の画面上の操作に基づいて変更可能とする表示設定モードとの２つの操作モードを含む。なお、印刷設定とは、印刷ジョブの内容の設定であり、印刷に用いる連続紙Ｐ（ロール紙）の種類の設定や印刷品質の設定などが挙げられる。
【００３３】
表示切替部３４は、表示パネル２１の表示内容を変更する。表示切替部３４は、例えば制御部３２が印刷設定モードのときに表示パネル２１に表示される表示内容と、制御部３２が表示設定モードのときに表示パネル２１に表示される表示内容（図４参照）とを、受付部３１から出力された操作信号に基づいて切り替える。モード切替部３５は、受付部３１から出力される操作信号に基づいて、印刷設定モードと表示設定モードとを切り替える。駆動信号生成部３６は、表示切替部３４及びモード切替部３５により変更される表示パネル２１の表示態様に基づいて駆動装置２３を制御する制御信号となる駆動信号を生成する。駆動信号生成部３６の駆動信号（制御信号）は、出力部３３に出力される。
【００３４】
次に、表示パネル２１の表示内容の一例について図３〜図５を用いて説明する。なお、以下の説明において、表示パネル２１における「上方」は、紙面上の上方を示し、印刷装置１１の背面側に対応する。また表示パネル２１における「下方」は、紙面上の下方を示し、印刷装置１１の前面側に対応する。
【００３５】
図３は、印刷実行中における表示パネル２１に表示された表示内容である。図３に示すとおり、表示パネル２１には、ジョブ情報、用紙情報及びインクカートリッジの残量が表示されている。用紙情報は、印刷装置１１に搭載された２つのロール体ＲＢの種類やサイズである。インクカートリッジの残量は、ブラック（Ｋ）、シアン（Ｃ）、マゼンタ（Ｍ）及びイエロー（Ｙ）がそれぞれカラー表示されている。図３では、イエロー（Ｙ）のインク残量が少ないため、警告マークが表示されている。なお、図３のインクカートリッジの残量では、網掛けの種類を異ならせることにより、ブラック（Ｋ）、シアン（Ｃ）、マゼンタ（Ｍ）及びイエロー（Ｙ）のそれぞれの色相を表示している。
【００３６】
また、印刷実行中における表示パネル２１は、図３に示す印刷中の表示内容とは別に印刷設定の表示内容も表示することができる。使用者が例えば表示パネル２１の画面上をフリック操作することにより印刷中の表示内容から印刷設定の表示内容に切り替えられる。
【００３７】
表示パネル２１の画面において右上側の領域には、モード切替ボタン４１が表示されている。モード切替ボタン４１は、制御部３２（図２参照）の２つの操作モードである印刷設定モードと表示設定モードとを切り替える。図３に示す印刷中の表示内容のとき、制御部３２の操作モードは、印刷設定モードである。このため、図３に示す印刷中の表示内容のときにモード切替ボタン４１がタップ操作されたとき、印刷設定モードから表示設定モードに切り替えられる。これにより、表示パネル２１は、図３に示す印刷中の表示内容から表示パネル２１の表示態様を操作する表示内容に切り替えられる。
【００３８】
図４は、表示設定モードの表示内容であり、表示パネル２１の表示態様を操作する表示内容の一例である。図４に示すとおり、表示パネル２１には、表示設定モードの操作画面及び表示パネル２１の表示態様の調整サンプルとなるインクカートリッジの残量がカラー表示されている。なお、調整サンプルは、インクカートリッジの残量に限られず、他の文字や画像のカラー表示であってもよい。要するに、調整サンプルは、使用者が表示パネル２１の表示態様を確認可能な文字や画像であればよい。
【００３９】
表示設定モードの操作画面は、第１操作領域ＲＣ１及び第２操作領域ＲＣ２を有する。表示パネル２１において第２操作領域ＲＣ２は第１操作領域ＲＣ１よりも下方に位置している。すなわち第２操作領域ＲＣ２は第１操作領域ＲＣ１の範囲外に設けられている。なお、第２操作領域ＲＣ２の位置は、第１操作領域ＲＣ１よりも上方であってもよい。要するに、第２操作領域ＲＣ２の位置は、第１操作領域ＲＣ１の範囲外であれば、下方に限定されない。
【００４０】
第１操作領域ＲＣ１は、使用者が表示パネル２１に対してどの方向から目視しているかの方向（以下、「目視方向」という。）を入力可能な領域である。第１操作領域ＲＣ１には、表示パネル２１の正面視において左方向を示す左矢印４２Ｌ及び右方向を示す右矢印４２Ｒが表示されている。操作画面では、使用者が表示パネル２１を左右どの方向から見ているかを左矢印４２Ｌ及び右矢印４２Ｒにより入力する。使用者がこれら矢印４２Ｌ，４２Ｒをタップ操作又はフリック操作することにより、目視方向が表示制御装置３０（図２参照）に入力される。これにより、制御部３２が表示パネル２１の表示態様を変更する。すなわち、表示制御装置３０は、使用者の表示パネル２１に対する目視方向に応じて表示パネル２１の表示態様を目視方向から見え易くなるように変更する。表示パネル２１は、上述のように左側から見るとコントラスト比が下がり、右側から見ると表示内容が階調反転するため、左矢印４２Ｌが操作されたとき、表示パネル２１のコントラスト比が高くなり、右矢印４２Ｒが操作されたとき、表示内容が階調反転に応じたモノクロ表示に変更される。なお、階調反転に応じたモノクロ表示とは、階調反転によって、つぶれたり、かすれたりする文字や画像を階調反転前の文字や画像に調整したうえでモノクロ表示することをいう。
【００４１】
第２操作領域ＲＣ２には、第１操作領域ＲＣ１の目視方向の入力を確定させると共に目視方向の入力操作を終了させるためのＯＫボタン４３と、目視方向の入力により変更された表示パネル２１の表示態様を変更前の表示態様に戻すためのキャンセルボタン４４とが設けられている。このように、第２操作領域ＲＣ２は、表示パネル２１の表示態様の変更を変更前の表示態様に戻すことができる領域である。このように、図３のような目視方向を入力する操作を許可しない印刷設定モードでは左矢印４２Ｌ及び右矢印４２Ｒが表示されず、図４のような目視方向を入力する操作を許可する表示設定モードでは左矢印４２Ｌ及び右矢印４２Ｒが表示されている。このため、受付部３１は、印刷設定モードでは目視方向の入力の受け付けを許可せず、表示設定モードでは目視方向の入力の受け付けを許可する。
【００４２】
図５は、図４において表示パネル２１の表示態様が目視方向から見え易くなるように変更された後の表示内容の一例である。図５に示すように、表示パネル２１には、表示パネル２１の表示態様の変更後、印刷中の表示内容が再び表示される。加えて、表示パネル２１の下方には、変更後の表示態様（目視方向から見え易くなるようにコントラスト比が高くなっている又はモノクロ表示）が維持される時間、すなわち変更後の表示態様が変更前の表示態様に戻るまでの時間が表示されている。この表示された時間は、表示パネル２１の下端部において「＋」「−」にて表示された時間変更ボタン４５により変更可能である。また、表示パネル２１の上方には、変更後の表示態様を変更前の表示態様に戻すための解除ボタン４６が表示されている。これにより、使用者は、手動操作により変更後の表示態様を変更前の表示態様に戻すことができる。なお、変更後の表示態様が変更前の表示態様に戻るまでの時間と、時間変更ボタン４５と、解除ボタン４６との位置は、図５のような位置に限定されない。例えば、変更後の表示態様が変更前の表示態様に戻るまでの時間、時間変更ボタン４５及び解除ボタン４６の全てが表示パネル２１の上方又は下方に位置してもよい。また、変更後の表示態様が変更前の表示態様に戻るまでの時間及び時間変更ボタン４５が表示パネル２１の上方に位置し、解除ボタン４６が表示パネル２１の下方に位置してもよい。
【００４３】
このように、制御部３２（図２参照）は、表示パネル２１に対する目視方向に応じて表示パネル２１の表示態様を変更する表示態様変更処理を実行する。また制御部３２は、表示態様変更処理の実行後、変更された表示態様を変更前の表示態様に戻す表示態様解除処理を実行する。表示態様変更処理は、制御部３２が表示設定モードのときに所定時間毎に繰り返し実行される。表示態様解除処理は、表示態様変更処理の実行後、表示パネル２１の表示態様が変更前の表示態様に戻るまでの期間に亘り、所定時間毎に繰り返し実行される。なお、本実施形態では、表示態様変更処理の実行後は、図４の表示パネル２１におけるＯＫボタン４３が操作されて、表示態様の変更が確定したときをいう。
【００４４】
制御部３２が実行する表示態様変更処理の処理手順について図６のフローチャートを用いて説明する。
制御部３２は、表示設定モードか否かを判定する（ステップＳ１１）。制御部３２は、図３の表示パネル２１におけるモード切替ボタン４１が操作されたか否かに基づいてステップＳ１１の判定を行う。
【００４５】
制御部３２は、表示設定モードではないとき、すなわち図３の表示パネル２１におけるモード切替ボタン４１が操作されていないとき（ステップＳ１１：ＮＯ）、本処理を一旦終了する。
【００４６】
一方、制御部３２は、表示設定モードのとき、すなわち図３の表示パネル２１におけるモード切替ボタン４１が操作されたとき（ステップＳ１１：ＹＥＳ）、表示パネル２１の画面上の操作による操作信号の受け付けを許可し（ステップＳ１２）、その受け付けた操作信号を取得する（ステップＳ１３）。そして制御部３２は、取得した操作信号に基づいて表示パネル２１の表示態様を目視方向から見え易くなるように変更する（ステップＳ１４）。具体的には、制御部３２は、図４に示す表示パネル２１の表示内容において、左矢印４２Ｌ又は右矢印４２Ｒの操作に基づく操作信号を取得し、その操作信号に基づいて、表示パネル２１のコントラスト比を高くしたり、カラー表示からモノクロ表示に変更したりする。これにより、表示パネル２１の表示内容が目視方向から見え易くなる。
【００４７】
次に、制御部３２は、表示パネル２１の表示態様の変更操作が終了したか否かを判定する（ステップＳ１５）。制御部３２は、図４の表示パネル２１におけるＯＫボタン４３又はキャンセルボタン４４が操作されたか否かに基づいてステップＳ１５の判定を行う。制御部３２は、表示パネル２１の表示態様の変更操作が終了したとき、すなわちＯＫボタン４３又はキャンセルボタン４４が操作されたとき（ステップＳ１５：ＹＥＳ）、本処理を終了する。一方、制御部３２は、表示パネル２１の表示態様の変更操作が終了していないとき、すなわちＯＫボタン４３又はキャンセルボタン４４が操作されていないとき（ステップＳ１５：ＮＯ）、ステップＳ１３に移行して、左矢印４２Ｌ又は右矢印４２Ｒの操作に基づく操作信号を再び取得して、表示パネル２１の表示態様の変更を引き続き実行する。なお、制御部３２は、図４のＯＫボタン４３が操作されたとき、図４に示す表示設定モードの表示内容から図５に示す印刷中の表示内容に変更する。
【００４８】
次に、制御部３２が実行する表示態様解除処理の処理手順について図７のフローチャートを用いて説明する。
制御部３２は、表示パネル２１において変更後の表示態様を変更前の表示態様に戻す要求があったか否かを判定する（ステップＳ２１）。制御部３２は、図５の表示パネル２１における解除ボタン４６が操作されたか否かに基づいてステップＳ２１の判定を行う。
【００４９】
制御部３２は、表示パネル２１において変更後の表示態様を変更前の表示態様に戻す要求がないとき、すなわち図５の表示パネル２１における解除ボタン４６が操作されていないとき（ステップＳ２１：ＮＯ）、表示パネル２１において表示態様が変更されてからの経過時間が変更時間を経過したか否かを判定する（ステップＳ２２）。この変更時間は、印刷装置１１に関する作業（ロール体ＲＢの交換作業やメンテナンス作業）の作業時間に基づいて予め設定されている。また変更時間は、任意の設定事項であり、使用者が例えば表示パネル２１の画面上の操作により変更可能である。
【００５０】
制御部３２は、変更時間を経過したとき（ステップＳ２２：ＹＥＳ）、表示パネル２１において変更後の表示態様を変更前の表示態様に戻す（ステップＳ２３）。また制御部３２は、表示パネル２１において変更後の表示態様を変更前の表示態様に戻す要求があったとき、すなわち図５の表示パネル２１における解除ボタン４６が操作されたとき（ステップＳ２１：ＹＥＳ）、ステップＳ２３に移行して変更後の表示態様を変更前の表示態様に戻す。
【００５１】
本実施形態の作用について図８を用いて説明する。
図８に示すとおり、使用者は、印刷装置１１におけるロール体ＲＢを交換するとき、印刷装置１１の右背面側から開閉カバー１５を開ける場合がある。このとき、使用者は、ロール体ＲＢの交換作業と共に、例えばインクカートリッジのインク残量を確認する場合がある。このとき、使用者は、表示パネル２１に表示されたインクカートリッジのインク残量を確認する。すなわち、使用者は、表示パネル２１に対して右側を目視方向として表示パネル２１を視認する。このとき、表示パネル２１の視角依存特性上、表示パネル２１の画面が階調反転する場合がある。これにより、インクカートリッジのインクの種類及びインク残量が十分に確認することができず、使用者が表示パネル２１に対して正面側、すなわち印刷装置１１の前面側に移動してインクカートリッジのインク残量を確認しなければならない。このため、印刷装置１１のロール体ＲＢの交換作業が煩雑となってしまう。
【００５２】
その点、本実施形態では、表示態様変更処理が実行されることにより、表示パネル２１に対する使用者の目視方向に応じて表示パネル２１の表示態様が目視方向から見え易くなるように変更されるため、使用者が表示パネル２１の表示内容を見え易くすることができる。したがって、表示パネル２１の表示態様が一度調整された後は、使用者が表示パネル２１の右背面側からでも表示パネル２１が見え易くなるため、表示パネル２１の表示内容を確認するために使用者が印刷装置１１の前面側に移動する必要がなくなり、ロール体ＲＢの交換作業をスムーズに行うことができる。
【００５３】
本実施形態によれば、以下に示す効果を得ることができる。
（１）表示制御装置３０は、表示パネル２１に対する目視方向が入力されたとき、その入力された目視方向に基づいて表示パネル２１の表示態様を目視方向から見え易くなるように変更する。この構成によれば、目視角度のような具体的な数値を入力するのではなく、表示パネル２１に対する目視方向を入力するため、すなわち使用者が表示パネル２１に対してどの方向から表示パネル２１を見ているかを入力すれば、その目視方向に応じて表示パネル２１の表示態様が目視方向から見え易くなるように変更される。このように、使用者が感覚的に把握しやすく且つ容易に取得可能な目視方向に基づいて表示パネル２１の表示態様が変更可能であることにより、表示パネル２１の表示態様を変更する操作が容易となる。したがって、表示パネル２１の表示内容を容易に見え易くすることができる。
【００５４】
（２）表示制御装置３０は、表示設定モードを条件として、入力された目視方向を受け付ける。この構成によれば、表示設定モードのみで目視方向の入力を受け付ける、言い換えれば、印刷設定モード等の表示設定モード以外のモードでは目視方向の入力を受け付けない。これにより、表示設定モード以外のモードにおいて使用者が不用意に操作ボタン２２や表示パネル２１（タッチパネル）が操作されても、表示パネル２１が使用者の意図しない表示態様に変更してしまうことを抑制することができる。
【００５５】
（３）表示パネル２１はタッチパネルであり、表示パネル２１のタッチ操作で目視方向が入力可能である。この構成によれば、表示パネル２１（タッチパネル）の画面上のタッチ操作であれば表示パネル２１の面方向に対して上下左右のどの方向に対してもタッチ操作しやすい。したがって、目視方向の入力操作を容易に行うことができる。
【００５６】
（４）表示パネル２１に安価な液晶パネルが用いられた場合、目視方向に対する表示パネル２１のコントラスト比のばらつきが大きくなる。その点、本実施形態によれば、表示制御装置３０が表示パネル２１のコントラスト比を変更することにより表示態様を変更するため、目視方向に対する表示パネル２１のコントラスト比を適切なものとすることができる。したがって、表示パネル２１に安価な液晶パネルが用いられたとしても、表示パネル２１の表示内容を見え易くすることができる。
【００５７】
（５）表示制御装置３０は、目視方向からの表示パネル２１の表示内容が階調反転するとき、階調反転に応じたモノクロ表示に変更する。この構成によれば、目視方向からの表示パネル２１の表示内容が階調反転してもその階調反転に応じたモノクロ表示にすることにより、階調反転による影響を回避することができる。したがって、階調反転した表示内容よりも表示内容を見え易くすることができる。
【００５８】
（６）特許文献１の液晶表示装置のように壁面に設置した後、使用者による液晶表示装置のコントラスト比の変更を長期間に亘り維持する場合、液晶表示装置のコントラスト比を調整した後、調整前のコントラスト比に戻すことはしない。
【００５９】
一方、印刷装置１１では、ロール体ＲＢを交換する作業のように一時期のみ表示パネル２１の表示態様を目視方向から見え易くなるように変更する場合がある。この場合、表示パネル２１の表示態様を目視方向から見え易くなるように変更した後、表示パネル２１の表示態様を戻す必要がある。
【００６０】
そして変更後の表示態様を変更前の表示態様に戻す手段として、例えば、表示パネル２１の表示態様の変更時間が予め設定された一定時間とした場合、例えば使用者がロール体ＲＢの交換作業途中で、予期せずに表示パネル２１の表示態様が使用者から見え難い変更前の表示態様に戻ってしまう虞がある。この問題を解決するため、変更後の表示態様を変更前の表示態様を戻す手段として、表示パネル２１の表示態様が目視方向から見え易くなるように変更された後、表示パネル２１の表示態様を変更前の表示態様に戻す操作を行わないと、表示パネル２１の表示態様が変更前の表示態様に戻らないような構成が考えられる。しかし、使用者はロール体ＲＢの交換作業終了後に表示パネル２１の変更後の表示態様を変更前の表示態様に戻す操作を行わなければならない。特に、産業用の印刷装置の場合、１日に１度、ロール体ＲＢを交換する作業が生じる場合があり、表示パネル２１の表示態様を目視方向から見え易くなるように変更する頻度が高い。このため、表示パネル２１の表示態様を手動で変更前の表示態様に戻すことに対して使用者が作業の煩雑さを感じる可能性が高い。このため、利便性が低下してしまう。加えて、使用者が表示パネル２１の表示態様を目視方向から見え易くなるように変更した後、表示パネル２１の表示態様を戻す操作を忘れてしまう虞がある。
【００６１】
その点、本実施形態では、表示制御装置３０が表示パネル２１の表示態様の変更時間を変更可能としている。このため、使用者が表示パネル２１の表示態様の変更時間を適切な時間に設定できる。したがって、使用者が表示パネル２１の表示態様が変更前の表示態様に戻る時間を把握することができるため、予期せずに表示パネル２１の表示態様が変更前の表示態様に戻ることを抑制することができる。加えて、変更時間を経過したときに自動的に変更前の表示態様に戻るため、使用者が作業終了後に表示パネル２１の表示態様を変更前の表示態様に戻す操作を行うことが不要となる。したがって、利便性の低下を抑制することができ、且つ表示パネル２１の表示態様を戻す操作を忘れてしまう虞をなくすことができる。
【００６２】
（７）表示制御装置３０は、表示パネル２１の表示態様の変更時間を表示パネル２１の画面上のタッチ操作に応じて変更可能である。この構成によれば、表示パネル２１の画面上のタッチ操作であれば表示パネル２１の面方向に対して上下左右のどの方向に対してもタッチ操作しやすい。したがって、表示態様の変更時間の変更操作を容易に行うことができる。
【００６３】
（８）表示設定モードにおいて表示パネル２１には第１操作領域ＲＣ１及び第２操作領域ＲＣ２を有し、第２操作領域ＲＣ２が第１操作領域ＲＣ１の範囲外に設けられている。この構成によれば、目視方向を入力する操作を行うときに表示パネル２１の表示態様を元に戻す操作を行ってしまう、又は表示パネルの表示態様を元に戻す操作を行うときに目視方向を入力する操作を行ってしまうといった誤操作を抑制することができる。
【００６４】
（９）印刷装置１１においては、使用者は、例えばロール体ＲＢを交換するとき、印刷装置１１の側方又は背面側で作業する。このとき、印刷装置１１の表示パネル２１にはロール体ＲＢを交換するときの作業手順やインクカートリッジの残量が表示される。このため、使用者は、表示パネル２１を側方又は背面側から見ることとなり、表示パネル２１が見え難い。
【００６５】
その点、本実施形態では、表示制御装置３０が使用者の表示パネル２１に対する目視方向に基づいて表示パネル２１の表示態様を目視方向から見え易くなるように変更するため、使用者が表示パネル２１を側方又は背面側から見ても表示パネル２１の表示内容が見え易くなる。これにより、使用者がロール体ＲＢの交換等の作業をし易くなる。
【００６６】
（１０）表示パネル２１には、変更後の表示態様が変更前の表示態様に戻るまでの時間が表示されている。この構成によれば、使用者が表示パネル２１を目視することにより、変更後の表示態様が変更前の表示態様に戻るまでの時間を確認することができるので、予期せずに変更前の表示態様に戻ることを抑制することができる。また、使用者の作業に応じて変更時間を延長することで、使用者の作業に応じて変更後の表示態様を表示することができる。
【００６７】
（１１）従来、印刷装置では、左右方向の寸法が前後方向の寸法よりも長い、所謂横長のタッチパネルとして表示パネル２１を用いていた。このため、表示パネル２１は、左右方向（表示パネル２１の長手方向となる横方向）の視野角が広く、前後方向（表示パネル２１の縦方向）の視野角が狭い構成となっていた。このため、ロール体ＲＢの交換作業等の表示パネル２１を側方又は背面側から見るとき、表示パネル２１が見え難くなりにくい。一方、表示パネル２１を横長で用いる場合、表示パネル２１の画面全体に亘り印刷情報等の情報を表示し難く、表示パネル２１の横方向の一部の領域が空白となる場合がある。
【００６８】
そこで、表示パネル２１の空白となる領域を少なくするため、表示パネル２１の姿勢を横長から縦長に変更して印刷装置１１に搭載することが進められている。これにより、表示パネル２１に一度に表示する情報量を増やすことができる。しかし、表示パネル２１を縦長にして印刷装置１１に搭載する場合、表示パネル２１に対して左方向又は右方向となる目視方向では、表示パネル２１が見え難くなってしまう。
【００６９】
その点、本実施形態では、図４に示す表示設定モードの画面における左矢印４２Ｌ及び右矢印４２Ｒをタッチ操作することにより、表示制御装置３０が表示パネル２１に対して左側及び右側の目視方向に応じた表示態様の変更を行う。これにより、表示パネル２１に対して左方向又は右方向となる目視方向で表示パネル２１が見え難くなっても、表示パネル２１を見え易くするように容易に変更することができる。
【００７０】
（変形例）
なお、上記実施形態は以下に示す変形例のように変更してもよい。また、上記実施形態と各変形例とは、任意に組み合わせることができる。
【００７１】
・上記実施形態において、表示パネル２１の視角依存特性に応じて、表示設定モードの操作画面における操作に基づく制御内容を変更してもよい。例えば、視角依存特性として、使用者が表示パネル２１を右側から見るとき、表示パネル２１の表示内容が階調反転せず、使用者が表示パネル２１を正面から見るときの表示パネル２１のコントラスト比よりも低くなる表示パネル２１を用いてもよい。この場合、表示制御装置３０は、使用者が表示設定モードの操作画面の右矢印４２Ｒを操作するとき、表示パネル２１のコントラスト比が高くなるように表示態様を変更する。
【００７２】
・上記実施形態において、図４に示す表示パネル２１における表示設定モードの表示内容に、左矢印４２Ｌ及び右矢印４２Ｒに加えて、上矢印及び下矢印を表示してもよい。この場合、表示パネル２１に対して使用者の目視方向が上側（印刷装置１１の背面側）及び下側（印刷装置１１の前面側）のときでも、制御部３２は、その目視方向に応じて表示パネル２１の表示態様を目視方向から見え易くなるように変更する。
【００７３】
・上記実施形態の表示態様変更処理において、表示パネル２１のコントラスト比を高くすること又はモノクロ表示への変更に加えて、表示パネル２１においてインクカートリッジの残量のブラック（Ｋ）、シアン（Ｃ）、マゼンタ（Ｍ）及びイエロー（Ｙ）の文字を強調表示してもよい。このような文字の強調表示の一例として、図９に示すように、ブラック（Ｋ）、シアン（Ｃ）、マゼンタ（Ｍ）及びイエロー（Ｙ）の文字が太文字により表示される。なお、これら文字は、太文字に代えて、文字の大きさを拡大してもよいし、太文字に加えて文字の大きさを拡大してもよい。この構成によれば、表示パネル２１のインクカートリッジの残量の色相の情報をより見え易くすることができる。なお、インクカートリッジの残量においてイエロー（Ｙ）に示された警告マークを太線で示すような強調表示してもよい。また警告マークは文字と同様に、太線に代えて警告マークを拡大してもよいし、太線に加えて警告マークを拡大してもよい。また、警告マーク以外の画像も強調表示してもよい。
【００７４】
・また表示態様変更処理において、インクカートリッジの残量のブラック（Ｋ）、シアン（Ｃ）、マゼンタ（Ｍ）及びイエロー（Ｙ）の文字や警告マークなどの画像を強調表示する場合、表示パネル２１のコントラスト比及びモノクロ表示への変更の少なくとも一方を実行しなくてもよい。この構成によれば、表示パネル２１の画面が暗く見えたり、表示パネル２１が階調反転したりしても、表示パネル２１のインクカートリッジの残量の色相を示す文字や警告マークなどの画像が見え易くなるため、その文字や画像から使用者がインクカートリッジの残量などの情報を読み取ることができる。
【００７５】
・上記実施形態において、制御部３２は、表示設定モードのときに図４に示す表示内容に切り替えなくてもよい。例えば、図３に示す印刷中の表示内容においてモード切替ボタン４１がタップ操作されたとき、図１０に示すように、印刷中の表示内容を変更しないまま、表示パネル２１の下方にＯＫボタン４３及びキャンセルボタン４４を表示してもよい。この場合、印刷中の表示内容が表示されている領域が第１操作領域ＲＣ１となり、表示パネル２１の下方の領域であって、ＯＫボタン４３及びキャンセルボタン４４が表示された領域が第２操作領域ＲＣ２となる。すなわち、第２操作領域ＲＣ２は、第１操作領域ＲＣ１の範囲外に設けられる。この場合、第１操作領域ＲＣ１では、目視方向の入力操作以外の操作が無効となる。すなわち図１０に示す表示パネル２１において、受付部３１（図３参照）は、入力された目視方向を受け付ける。また図１０に示す表示パネル２１の上方には、モード切替ボタン４１が省略される。そして図１０に示す表示パネル２１の画面上を二点鎖線且つ網掛け表示の矢印により示すように使用者がフリック操作することに基づいて、制御部３２は、表示態様変更処理において表示パネル２１の表示態様を目視方向から見え易くなるように変更する。この場合、目視方向をフリック操作する方向で規定する（図１０では目視方向が右方向となる）。なお、表示パネル２１の画面上の左端領域及び右端領域をタップ操作することにより目視方向を規定してもよい。
【００７６】
・上記実施形態の表示態様解除処理において、印刷装置１１から使用者が離れたことを条件として、表示パネル２１の変更後の表示態様を変更前の表示態様に戻してもよい。その一例として、図１１に示すように、印刷装置１１の装置本体１３の前面側における左右両端部と背面側における左右両端部とのそれぞれに人感センサー４７が設けられる。人感センサー４７の一例は、赤外線センサーであり、人感センサー４７の周囲の温度変化を感知したときに検出信号を表示制御装置３０に出力する。制御部３２は、所定時間に亘り全ての人感センサー４７の検出信号を受け付けなかったとき、表示パネル２１の変更後の表示態様を変更前の表示態様に戻す。このような表示態様解除処理の処理手順について図１２を用いて説明する。
【００７７】
制御部３２は、全ての人感センサー４７のうちの少なくとも１つが検出信号を出力したか否かを判定する（ステップＳ３１）。制御部３２は、人感センサー４７が出力した検出信号を受け付けることに基づいてステップＳ３１の判定を行う。
【００７８】
制御部３２は、人感センサー４７が検出信号を出力したとき、印刷装置１１の周囲に使用者が居る可能性が高いため、表示パネル２１の変更後の表示態様を維持する（ステップＳ３２）。一方、制御部３２は、４個の人感センサー４７の全てから検出信号を受け取っていないとき（ステップＳ３１：ＮＯ）、すなわち印刷装置１１の周囲に使用者が居る可能性が低いとき、その状態が所定時間に亘り維持されているか否かを判定する（ステップＳ３３）。所定時間の計測は、制御部３２に設けられたカウンター（図示略）により実行される。制御部３２は、ステップＳ３１において否定判定したときにカウントを開始し、そのカウントが所定時間に相当する値に達したとき又は人感センサー４７の検出信号を受け取ったときにカウントを中止し、カウントした値をリセットする。
【００７９】
制御部３２は、全ての人感センサー４７が検出信号を出力していない状態が所定時間に亘り維持されたとき（ステップＳ３３：ＹＥＳ）、表示パネル２１の変更後の表示態様を変更前の表示態様に戻す（ステップＳ３４）。一方、制御部３２は、所定時間を経過していないとき（ステップＳ３３：ＮＯ）、ステップＳ３１に移行する。
【００８０】
この構成によれば、例えば使用者がロール体ＲＢの交換作業が終了して印刷装置１１から離れたとき、表示パネル２１の表示態様を変更前の表示態様に自動的に戻すことができる。したがって、表示パネル２１の表示態様を変更前の表示態様に戻し忘れる虞がなくなると共に利便性が向上する。
【００８１】
・上記実施形態において、変更時間を予め設定された一定時間としてもよい。すなわち、表示制御装置３０による変更時間の変更を不能としてもよい。
・上記実施形態において、表示制御装置３０は、変更後の表示態様を変更前の表示態様に戻すための変更時間を省略してもよい。すなわち、表示制御装置３０は、表示パネル２１の表示態様を変更後に変更前の表示態様に戻す操作が表示制御装置３０に入力されたことを条件に、変更前の表示態様に戻す。
【００８２】
・上記実施形態において、表示パネル２１はモノクロ表示のみであってもよい。
・上記実施形態において、目視方向の入力操作等の表示態様変更処理及び表示態様解除処理に関する表示パネル２１の画面上の操作を、操作部２０の操作ボタン２２により操作してもよい。この場合、表示パネル２１は、タッチパネル以外の液晶パネルであってもよい。
【００８３】
・上記実施形態において、印刷装置１１は、媒体に印刷することができるものであれば、ドットインパクトプリンターやレーザープリンターであってもよい。また、印刷装置１１は、印刷機能だけを備えた構成に限定されず、複合機であってもよい。さらに、印刷装置１１は、シリアルプリンター、ラインプリンター又はページプリンターであってもよい。
【００８４】
・媒体は、連続紙Ｐに限定されず、単票紙、樹脂製のフィルム、金属箔、金属フィルム、樹脂と金属の複合体フィルム（ラミネートフィルム）、織物、不織布、セラミックシート等であってもよい。
【００８５】
・印刷に用いられる記録材は、インク以外の流体（液体や、機能材料の粒子が液体に分散又は混合されてなる液状体、ゲルのような流状体、流体として噴射できる固定を含む）であってもよい。例えば、液晶ディスプレイ、ＥＬ（エレクトロルミネッセンス）ディスプレイ及び面発光ディスプレイの製造などに用いられる電極材や色材（画素材料）などの材料を分散又は溶解のかたちで含む液状体を噴射して印刷を行う構成にしてもよい。
【００８６】
また印刷装置１１は、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。なお、本明細書において「流体」とは、気体のみからなる流体を含まない概念であり、流体には、例えば液体（無機溶剤、有機溶剤、溶液、液状樹脂、液状金属（金属溶融）等を含む）、液状体、流状体、粉粒体（粒体及び粉体を含む）などが含まれる。
【００８７】
・上記実施形態では、表示制御装置を印刷装置に設けられた表示パネルの表示態様を変更制御することに用いられたが、表示制御装置は、印刷装置への適用に限定されない。例えば、表示制御装置は、工作機械に設けられた表示パネルの表示態様を変更制御することや、使用済みの用紙から新しい用紙を再生する再生機に設けられた表示パネルの表示態様を変更制御することに用いられてもよい。要するに、表示制御装置は、表示パネルを有する機器に適用することができる。
【符号の説明】
【００８８】
１１…印刷装置、２１…表示パネル、３０…表示制御装置、４２Ｌ…左矢印、４２Ｒ…右矢印、４３…ＯＫボタン、４４…キャンセルボタン、４７…人感センサー、ＲＣ１…第１操作領域、ＲＣ２…第２操作領域。
【図１】
2017161809.tif 000003
【図２】
2017161809.tif 000004
【図３】
2017161809.tif 000005
【図４】
2017161809.tif 000006
【図５】
2017161809.tif 000007
【図６】
2017161809.tif 000008
【図７】
2017161809.tif 000009
【図８】
2017161809.tif 000010
【図９】
2017161809.tif 000011
【図１０】
2017161809.tif 000012
【図１１】
2017161809.tif 000013
【図１２】
2017161809.tif 000014